(57)【要約】      （修正有）【課題】花と表示板を一体的にディスプレーすることにより目を留めさせる効果が高く、比較的安価に少量の製品を提示することができ、しかも耐久性の高い表示板保持、装飾器具を提供する。【解決手段】箱状部材１は断面が略長方形の箱状のケースを不飽和ポリエステル樹脂成型体で成形したもので、厚みがあって表示を豪華に演出する効果がある。前面１Ｂには前方から表示内容を確認するための開口部２を設け、内部背面１Ａには断面が略コの字型の一対のレール３Ａ及び３Ｂを固定し、このレールによって表示板４を保持すると共に、表示内容を変更するために表示板自体を交換可能に構成する。また下方空間１Ｃにはプランター５を置き、そこに土５Ａを入れて花５Ｂを植える。このように構成したから表示を豪華に演出し、表示内容に目を留めさせる効果が高い。【選択図】図１
0003150804.tif 000002
【実用新案登録請求の範囲】
【請求項１】
ＦＲＰによる略箱状の部材の内部背面に案内事項を変更可能に構成したな表示板を保持するための保持部材を設け、前面に案内事項を確認するための大きな開口部を設け、下方に花を配置するための空間を設けたことを特徴とする表示板保持、装飾器具。
【考案の詳細な説明】
【考案の詳細な説明】
【技術分野】
【０００１】本考案は、花を、表示板と一体感を持たせて、飾ることのできる表示板の保持、装飾器具に関する。
【背景技術】
【０００２】ガラス繊維で補強した不飽和ポリエステル樹脂成型体（以下「ＦＲＰ」と呼ぶ）は防食性に優れ、軽く、強く、複雑な形状に成型できる特徴があって、汚水処理槽、貯水槽、クーリングタワーの部品、ボート等に幅広く使用されている。また、飲食店などの入り口には黒板にその日のメニューの内容などを書いた黒板を立て、その下を花で飾ることも汎用的に行われている。
【考案の開示】
【考案が解決しようとする課題】
【０００３】しかし、黒板などを単独に用いた表示板は、ありふれた感じがして目を留めさせる効果が乏しく、その下に花器を置いて飾ったとしても花と表示板に一体感を持たせることが難しく、移動に際しては、表示板と植木鉢などを別々に移動する必要があって、手間がかかるという課題があった。【０００４】また、木製は製造に手間がかかり、樹脂製は高価な金型を必要とするために画一的な形状で大量生産をしない限り安く製品を提供することが難しいという課題があった。【０００５】また、木製の表示板にチョークでメニューなどを表示する表示板は雨に弱く、樹脂製の表示板を一体感なしに花の近くにおいても安っぽく感じると共にポリビニールなどの安価に提供可能な樹脂は紫外線に弱いという課題があった。【０００６】本考案は上記課題に鑑みてなされたもので、花と表示板を一体的にディスプレーすることにより目を留めさせる効果が高く、比較的安価に少量の製品を提供することができ、しかも耐久性の高い表示板保持、装飾器具を提供することを目的とする。
【課題を解決するための手段】
【０００７】上記目的を達成するために  本考案の表示板の保持、装飾器具発明は、ＦＲＰによる略箱状の部材の内部背面に案内事項を変更可能に構成した表示板を保持するための保持部材を設け、前面に案内事項を確認するための大きな開口部を設け、下方に花を配置するための植木鉢や花瓶を設置するための空間を設けた。【０００８】本考案の花器を内在させることができる表示板保持、装飾器具によれば、ＦＲＰによる成形体であるから、比較的安価に製造可能な木型を使用して、意匠性の高い複雑な少量多品種の保持、装飾器具を比較的安価に提供することができ、比較的紫外線にも強く、比較的雨にも強く、且つ、軽くて取扱が容易でる。【０００９】更に、厚みを持たせた略箱状に成形してその内部背面に表示板を設置し、全面の大きな開口部を通して表示板を見るように構成したから、表示板が豪華に見えて、表示に目を留めさせる効果が高い。【００１０】更に、下方に空間を設けたから、そこに植木鉢や花瓶を設置して、花によって更に豪華に表示板を演出できて、表示板に目を留めさせることができる。
【考案を実施するための最良の形態】
【００１１】以下、本考案の実施形態について図面を参照しつつ説明する。図１から図３に実施形態の表示板保持、装飾器具を示す。第１図（ａ）及び（ｂ）は実施例１の表示板保持、装飾器具の正面図及び断面図を示す。第２図（ａ）及び（ｂ）は実施例２の実施形態の表示板保持、装飾器具の正面図及び断面図を示す。第３図（ａ）及び（ｂ）は実施例３の表示板保持、装飾器具の正面図及び断面図を示す。なお、以下の説明において方向や位置を示す語句は正面から見たときの方向や位置を意味する。
【実施例１】
【００１２】本実施例の表示板保持、装飾器具は例えばランチの提供を特徴とする喫茶店の店先で日替わり定食の内容を表示するために好適である。箱状部材１は断面が略長方形の箱状のケースをＦＲＰで成形したもので、厚みがあって表示を豪華に演出する効果がある。【００１３】前面１Ｂには前方から表示内容を確認するための開口部２を設け、内部背面１Ａには断面が略コの字型の一対のレール３Ａ及び３Ｂを固定し、このレールによって表示板４を保持すると共に、表示内容を変更するために表示板自体を交換可能に構成する。また下方空間１Ｃにはプランター５を置き、そこに土５Ａを入れて花５Ｂを植える。このように構成したから表示を豪華に演出し、表示内容に目を留めさせる効果が高い。【００１４】表示板４は黒板にチョークでメニューを書き込んだものでも良いが、やはり、この表示板保持、装飾器具を使用するようなおしゃれな店においては、例えば、透明または白色アクリル板にメニューをマジックで記載するか、または、印刷したものを使用するのが好ましい。【００１５】下方１Ｃには直接土を入れて草花を植え付けたり、水を張って生け花を配置することもできるが、このような十分に広い空間を確保できる比較的大型の表示板保持、装飾器具にあっては草花を植えた植木鉢や花を生けた花器を移用すれば簡単に花を替えることができて好適である。例えば昼と夜で、或いは日替わりで花を替えるというのもおしゃれで効果的な演出である。【００１６】本実施例では箱状部材１の右側面を全面的に開放して形成し、その解放部から表示板４やプランター５を交換する。作業用の開口部は、普段は蓋６で塞ぎ、蓋６は図では省略したねじにより取り外し可能に固定する。作業用の開口部は、設置状況により選べばいいのであって、上部であっても左右どちらであっても、下方であってもかまわないが、この実施例にあっては右側に設けた。【００１７】この表示板保持、装飾器具を使用する喫茶店にあっては、入り口付近の数段の石段の１段目に、歩道に向けて、本表示板保持、装飾器具を置くから、表示内容を歩行者の目に飛び込ませるために表示板の位置を歩行者の目線の位置に合わせる必要があった。その目的を達成するために、本考案の表示板保持、装飾器具は下方にスタンド７を取り付ける。このスタンド７は汎用的に販売されているテーブル用のスタンドで、高さ調節ができるタイプのものだが、単なる支柱でもかまわないし、テーブルや支柱を設けずに、外枠を外壁に固定することもできる。表示板保持、装飾器具の設置のための部材については、設置方法に応じて、汎用的に使用されている設置用具を補助的に利用すれば足りる。【００１８】また、箱状部材の断面を略長方形に形成した結果、上方に生じるひさし様部分は弱い雨が降ったときに表示板に水滴が付いて表示内容を見辛くすることを防ぐと共に、表示板に重厚感を与える。上方内面１Ｄには、蛍光灯８を設置し、表示板の表示事項を薄暗い夕方にも判読可能に構成することもできる。ディナーメーニューを出す洋食屋等にあっては、このように蛍光灯を設置するのが好ましい。
【実施例２】
【００１９】本実施例の表示板保持、装飾器具は、例えばメニューを表示しない「お任せメニュー」の日本料理を提供する料亭やメニューが決まっているイタリア料理を提供する料理店の店先で利用するのに好適である。箱状部材９は断面を略台形にＦＲＰで成形したもので、厚みがあって表示を豪華に演出する効果がある。箱状とは断面が長方形であることに限定するものではなく、この実施例のように略台形であっても良いし、略三角形であっても、略Ｌ字型であっても立体的な形状であれば箱状の範囲に含まれる。【００２０】本実施例の表示板保持、装飾器具は、料亭やレストランのエントランスの足下にさりげなく置いて使用することを想定していて、斜め上方（立った人の目線）からも表示板の表示事項を確認しやすいように、前面９Ａを上方に向けて斜めに構成したことが特徴である。その前面９Ａには表示事項を確認するための大きな開口部９Ｂを設けている。このような構成においては、上方部分の表示を雨から守るひさしとしての効果は薄れるが、本実施例のように「営業中」という表示内容であれば、多くの日本人にとっては見慣れた内容で、その形を見ただけで表示の目的はほぼ達成されるから不都合は生じない。【００２１】内部背面９Ｄには表示板を交換可能に保持するための一対のフック１０Ａ及び１０Ｂを立てる。表示板１１には、フックに引っかけるための一対の穴１１Ａ及び１１Ｂを開けてあり、一面には「営業中」、他の面には「準備中」と印刷してある。このように開口部９Ｂに比べて表示板１１の大きさが十分に小さい場合には、表示板を操作するための側面又は上面の解放部は設けず、全面の開放部９Ｂより手を伸ばして簡単に表示板を操作することができる。表示板に「ウエルカム」または「いらっしゃいませ」などと印刷し、本実施例の表示板保持、装飾器具を所謂ウエルカムボードとして使用することもできる。【００２２】また、小さな表示板であるために下方空間９Ｅを広く使うことができる。そこで、本実施例の表示板保持、装飾器具では、下方空間９Ｅの幅いっぱいの大きなコンテナ１２に土１２Ａを入れ、２列に複数の花１２Ｂ及び１２Ｃを植えて、より豪華に表示板を飾ることができる。【００２３】また、一対の短い足１３Ａ及び１３Ｂにより低く設置できるようにしたから、平らでない場所に設置してもぐらつくことが少ない。本実施例の表示板保持、装飾器具は、例えばエントランスの足下に置いて、さりげなく斜め下方から表示内容を知らせることができる。このような配置は２列に豪華に植え込んだ花を十分に楽しむこともでき、店に向かって一瞬目を留めた客に楽しい思いを抱かせるのにも効果的である。なお、例えば、犬走りのような平らな面に設置する場合には、足１３Ａ及び１３Ｂは備えなくても良いし、背面にフックを設けて、店の窓の手すりに設置して使うこともできる。【００２４】図では省略したが、本実施例の箱状部材の前面９Ａには大きな開口部９Ｂの周りに花柄の装飾を施してある。ＦＲＰは成形後の表面に型枠を重ね、樹脂を吹き付けることなどによって簡単に立体的な模様や、色を変えた模様を形成することができる。このようにして用途に応じて外面を装飾することができるのもＦＲＰを使用するメリットである。
【実施例３】
【００２５】本実施例の表示板保持、装飾器具は、例えば病院の待合室に置いて診察番号を表示させ、順番を待っている患者にだいたいの待ち時間を伝えるために使用できる。箱状部材１４は実施例２と同じように断面を略台形にＦＲＰで成形したもので、厚みがあって表示を豪華に演出する効果がある。さらに、本実施例の表示板保持、装飾器具は幅２０ｃｍ程度の小さなものなので、下方部分を大きくせり出させて十分な下方空間を確保している。【００２６】もう一つの本実施例の表示板保持、装飾器具の特徴は前面１４Ａの開口部１４Ｂを略Ｌ字型に形成したところにある。これは、表示内容である番号だけの場合よりもその意味を優しく伝えるために番号に続いた前面１４Ａに「番です」の文字を表示するためである。このように、内部の表示板１６の表示事項が表示すべき事項の一部である場合には、前面に補完する表示事項を記載して表示事項を完成させることもできる。開口部は本実施例の略Ｌ字型に限定されず、複数あってもいいし、丸型やハート型であっても構わない。【００２７】内部背面１４Ｃには接着剤１５により防水型のデジタル番号表示装置を固定する。このように表示内容を電気的に変更できる場合にあっては、表示板を交換可能に設置する必要はない。デジタル番号表示装置は、汎用的に利用されている電子回路により看護師がスイッチを押すたびに１番ずつ大きな値をＬＥＤの点灯により表示するように構成する。【００２８】本表示板保持、装飾器具は、先に説明した通り、幅２０ｃｍ程度の小さなものであり、また、病院という清潔な場所で使用されるために鉢植えでの装飾は想定していない。大きくせり出させた下方空間には水１７を入れ、そこにバラなどの花１８を浮かべる。このように構成したから、小型の表示板を上品に花で装飾することができ、順番を待ちながら表示に目を留めた患者の心を少し和ませる効果を発揮できる。【００２９】また、本表示板保持、装飾器具は平らな病院の受付に置くために特に足は付けていない。この例のように平らな場所で使用する場合や棚などに置く場合には特に足を設ける必要はない。
【図面の簡単な説明】
【００３０】
【図１】実施例１の表示板保持、装飾器具の正面図（ａ）及び断面図（ｂ）である。
【図２】実施例２の表示板保持、装飾器具の正面図（ａ）及び断面図（ｂ）である。
【図３】実施例３の表示板保持、装飾器具の正面図（ａ）及び断面図（ｂ）である。
【符号の説明】
【００２９】１，９，１４：箱状部材  ２，９Ｂ，１４Ｂ：開口部  １Ａ，９Ｄ，１４Ｃ：内部背面  ２Ａ，２Ｂ，１０Ａ，１０Ｂ，１５：保持部材  ３，１１，１６：表示板  １Ｃ，９Ｅ，１４Ｄ：下方空間  ５Ｂ，１２Ｂ，１２Ｃ，１８：花
【図１】
0003150804.tif 000003
【図２】
0003150804.tif 000004
【図３】
0003150804.tif 000005